(57)【要約】【課題】  遊技機で遊技を行っている遊技者に対しては眩しさ感を与えることを防止し、第三者に対しては光装飾効果を高めることができる遊技機を提供する。【解決手段】  遊技機の前面側に開閉可能に設けられた前扉に装着される電飾装置であって、前扉６０は、遊技領域３３を透視可能な窓板６３を有する開口窓６２が形成されるとともに、開口窓６２の周縁部に沿って電飾装置８０、１８０が装着される。電飾装置８０、１８０は、遊技の進行に同調して発光装飾を行うように制御されるとともに、当該遊技機で遊技を行っている遊技者よりも第三者に対してより多くの光が指向するように構成してある。【選択図】        図３
2006006543.tif 000002
【特許請求の範囲】
【請求項１】
遊技機の前面側に開閉可能に設けられた前扉に装着される電飾装置であって、
前記前扉は、遊技領域を透視可能な窓板を有する開口窓が形成されるとともに、前記開口窓の周縁部に沿って電飾装置が装着され、
前記電飾装置は、遊技の進行に同調して発光装飾を行うように制御されるとともに、当該遊技機で遊技を行っている遊技者よりも第三者に対してより多くの光が指向するように構成したことを特徴とする遊技機の電飾装置。
【請求項２】
請求項１に記載の遊技機の電飾装置であって、
電飾装置は、開口窓の上部に沿って設置されたアッパ電飾装置を備え、
前記アッパ電飾装置は、透光性を有する前面部材と、その前面部材の内部に設けられた光源と、その光源が発する光を拡散反射してその反射光を前面部材を透して出射させる反射鏡と、を備え、
前記反射鏡から反射される反射光は、略水平又は上向きに設定されており、当該遊技機で遊技を行っている遊技者の目の高さ位置よりも高い位置に延びていることを特徴とする遊技機の電飾装置。
【請求項３】
請求項１又は２に記載の遊技機の電飾装置であって、
電飾装置は、開口窓の左右両側部に沿って設置されたサイド電飾装置を備え、
前記サイド電飾装置は、装飾部材と、その装飾部材に設けられたレンズ体と、同装飾部材の内部に設けられた光源と、を備え、
前記装飾部材は、開口窓の側部を囲むようにして設けられかつ窓板に対し略直角状をなす内側壁部を備え、
前記内側壁部には前記光源が発する光を、遊技者の視線に対して横向きに出射させるレンズ体が設けられていることを特徴とする遊技機の電飾装置。
【請求項４】
請求項３に記載の遊技機の電飾装置であって、
装飾部材は、その外側において斜め外側に向けて傾斜状をなす外側傾斜壁部を備え、
前記外側壁部には光源が発する光を斜め外向きに出射させるレンズ体が設けられていることを特徴とする遊技機の電飾装置。
【請求項５】
請求項３に記載の遊技機の電飾装置であって、
装飾部材は、前壁部、内側壁部及び外側傾斜壁部を一体に備えて平断面略台形状をなし、
前記内側壁部と外側傾斜壁部にわたって横方向に延びかつ光源が発する光を出射させる複数のレンズ体が設けられ、
前記複数のレンズ体において、前壁部に位置する前側レンズ部分の合計のレンズ面積よりも外側傾斜壁部に位置する外側レンズ部分の合計のレンズ面積が大きく設定されていることを特徴とする遊技機の電飾装置。
【発明の詳細な説明】
【技術分野】
【０００１】
この発明は、球（パチンコ球）を用いて遊技を行う遊技機（例えば、パチンコ機）やメダルを用いて遊技を行う遊技機（例えば、スロットマシン）において、その前面側に開閉可能に設けられた前扉に装着される電飾装置に関する。
【背景技術】
【０００２】
従来、この種の遊技機において、当該遊技機で遊技を行う遊技者に対する演出効果を高めるために、光による装飾装置（電飾装置）を、遊技機の前扉の周縁部に沿って配置したものがある。
また、電飾効果を高めるべく、光源（例えば基板上に配置された複数あるいは多数の発光ダイオード）が発する光をカバー部材を透して、遊技機で遊技を行っている遊技者に向けて出射させるように構成した電飾装置が知られている（例えば、特許文献１参照）。
【特許文献１】特開２００１ー２２４７４８号公報
【発明の開示】
【発明が解決しようとする課題】
【０００３】
ところで、昨今の遊技場では、当該遊技機で遊技を行っている遊技者のみならず遊技者以外の第三者に対しても電飾効果のある遊技機が求められている。
この場合、遊技者のみならず、第三者に対しても光装飾効果を高めるためには、光度が大きい光源、例えば、多数の発光ダイオードによって光源を構成することなる。しかしながら、この場合には、光源が発する光によって遊技者に眩しさ感を与え、これが原因となって遊技意欲の減退をまねいたり、あるいは長時間にわたる遊技が苦痛となる、という問題点があった。
【０００４】
この発明の目的は、前記問題点に鑑み、遊技機で遊技を行っている遊技者に対しては眩しさ感を与えることを防止し、第三者に対しては光装飾効果を高めることができる遊技機の電飾装置を提供することである。
【課題を解決するための手段】
【０００５】
前記目的を達成するために、請求項１の発明に係る遊技機の電飾装置は、遊技機の前面側に開閉可能に設けられた前扉に装着される電飾装置であって、
前記前扉は、遊技領域を透視可能な窓板を有する開口窓が形成されるとともに、前記開口窓の周縁部に沿って電飾装置が装着され、
前記電飾装置は、遊技の進行に同調して発光装飾を行うように制御されるとともに、当該遊技機で遊技を行っている遊技者よりも第三者に対してより多くの光が指向するように構成したことを特徴とする。
【０００６】
前記構成において、遊技機で遊技を行っている遊技者よりも第三者に対してより多くの光が指向するように発光装飾を行うことができるため、遊技者に対しは眩しさ感を与えることを防止し、第三者に対しては、光装飾効果を高めることができる。
このようにして、第三者に対して光装飾効果を高めることができるため、例えば、遊技者近傍の第三者が遊技機の遊技状況（大当たり状況）を容易に認識することができる。また、遊技機ホールの入口近傍の第三者が、遊技機ホール内の多数の遊技機の遊技状況（大当たり状況）を容易に認識することができる。
【０００７】
請求項２の発明に係る遊技機の電飾装置は、請求項１に記載の遊技機の電飾装置であって、
電飾装置は、開口窓の上部に沿って設置されたアッパ電飾装置を備え、
前記アッパ電飾装置は、透光性を有する前面部材と、その前面部材の内部に設けられた光源と、その光源が発する光を拡散反射してその反射光を前面部材を透して出射させる反射鏡と、を備え、
前記反射鏡から反射される反射光は、略水平又は上向きに設定されており、当該遊技機で遊技を行っている遊技者の目の高さ位置よりも高い位置に延びていることを特徴とする。
【０００８】
前記構成において、アッパ電飾装置の光源が発する光は反射鏡によって拡散反射され、前面部材を透して出射される。
反射鏡から反射される反射光が略水平又は上向きに設定されることによって、遊技機で遊技を行っている遊技者よりも第三者に対してより多くの光を指向させて発光装飾を行うことができる。これによって、遊技者に対しては眩しさ感を与えることを防止し、遊技者の目の高さ位置よりも高い第三者に対しては光装飾効果を高めることができる。
【０００９】
請求項３の発明に係る遊技機の電飾装置は、請求項１又は２に記載の遊技機の電飾装置であって、
電飾装置は、開口窓の左右両側部に沿って設置されたサイド電飾装置を備え、
前記サイド電飾装置は、装飾部材と、その装飾部材に設けられたレンズ体と、同装飾部材の内部に設けられた光源と、を備え、
前記装飾部材は、開口窓の側部を囲むようにして設けられかつ窓板に対し略直角状をなす内側壁部を備え、
前記内側壁部には前記光源が発する光を、遊技者の視線に対して横向きに出射させるレンズ体が設けられていることを特徴とする。
【００１０】
前記構成において、開口窓の側部を囲むようにして設けられかつ窓板に対し略直角状をなす内側壁部は、遊技機で遊技を行っている遊技者が見づらい位置に存在する。そして、サイド電飾装置の光源が発する光が内側壁部のレンズ体から横向きに出射されることで、
遊技者よりも第三者に対してより多くの光が指向するように発光装飾を行うことができる。
これによって、遊技者以外の第三者に対して光装飾効果を高めることができる。
さらに、内側壁部のレンズ体から横向きに出射される光が、窓板に映しだされる（窓板から反射される）ことによって光装飾効果をより一層高めることができる。
【００１１】
請求項４の発明に係る遊技機の電飾装置は、請求項３に記載の遊技機の電飾装置であって、
装飾部材は、その外側において斜め外側に向けて傾斜状をなす外側傾斜壁部を備え、
前記外側壁部には前記光源が発する光を斜め外向きに出射させるレンズ体が設けられていることを特徴とする。
【００１２】
前記構成において、斜め外側に向けて傾斜状をなす外側壁部のレンズ体から出射される光によって、当該遊技機で遊技を行っている遊技者よりも第三者に対してより多くの光を指向させて発光装飾を行うことができる。
【００１３】
請求項５の発明に係る遊技機の電飾装置は、請求項３に記載の遊技機の電飾装置であって、
装飾部材は、前壁部、内側壁部及び外側傾斜壁部を一体に備えて平断面略台形状をなし、
前記内側壁部と外側傾斜壁部にわたって横方向に延びかつ光源が発する光を出射させる複数のレンズ体が設けられ、
前記複数のレンズ体において、前壁部に位置する前側レンズ部分の合計のレンズ面積よりも外側傾斜壁部に位置する外側レンズ部分の合計のレンズ面積が大きく設定されていることを特徴とする。
【００１４】
前記構成において、内側壁部と外側傾斜壁部にわたって横方向に延びる複数のレンズ体の前側レンズ部分よりも外側レンズ部分からより多くの光を出射させる構造にすることができる。このため、当該遊技機で遊技を行っている遊技者よりも第三者に対してより多くの光を指向させて発光装飾を行うことが可能となる。
【発明の効果】
【００１５】
この発明に係る遊技機の電飾装置によれば、遊技機で遊技を行っている遊技者よりも第三者に対してより多くの光が指向するように発光装飾を行うことができるため、遊技者に対しは眩しさ感を与えることを防止し、第三者に対しては、光装飾効果を高めることができる。
【発明を実施するための最良の形態】
【００１６】
次に、この発明を実施するための最良の形態を実施例にしたがって説明する。
【実施例】
【００１７】
図１は遊技機の外枠の一側に本体枠が開かれその本体枠の一側にガラス扉が開かれた状態を示す斜視図である。図２は遊技機の前側全体を示す正面図である。図３は遊技機を斜め右上前方から示す斜視図である。図４はガラス扉を斜め左上後方から示す斜視図である。図５はガラス扉とアッパ電飾装置とを分離して斜め左上前方から示す斜視図である。図６はアッパ電飾装置の構成部材を分離して示す斜視図である。図７はスピーカ収納体にスピーカが装着された状態を拡大して示す平断面図である。図８はランプ基板の光源、光反射体、リフレクタ体の関係を拡大して示す平断面である。図９はリフレクタ体の中央部を拡大して示す正面図である。図１０はガラス扉と左右一対のサイド電飾装置とを分離して斜め左上前方から示す斜視図である。図１１は左右一対のサイド電飾装置の構成部材を分離して前方から示す斜視図である。図１２は左右一対のサイド電飾装置の構成部材を分離して後方から示す斜視図である。図１３はサイド電飾装置の装飾部材とレンズ部材を分離して前方から示す斜視図である。図１４はサイド電飾装置の装飾部材とレンズ部材を分離して後方から示す斜視図である。図１５はガラス扉の前側にサイド電飾装置が装着された状態の装飾部材とレンズ体の関係を示す平断面図である。図１６はガラス扉の前側にサイド電飾装置が装着された状態の装飾部材と前面装飾体との関係を示す平断面図である。図１７はガラス扉の前側にサイド電飾装置が装着された状態の装飾部材とレンズ体の関係を示す側断面図である。図１８は遊技機のアッパ電飾装置と遊技者の関係を示す説明図である。図１９はサイド電飾装置の装飾部材の内側壁部、前側壁部及び外側傾斜壁部の各レンズ体から光が出射される状態を平断面で示す説明図である。図２０は球貸機を間に挟んで遊技機が設置された状態を示す斜視図である。なお、説明の便宜上、遊技機において遊技者側を前、反対側を後として説明する。
【００１８】
［遊技機の概要について］
図１〜図３に示すように、遊技機としてのパチンコ機は、外枠１０、本体枠２０、遊技盤３１、ガラス扉（この発明の前扉に相当する）６０等を備えて構成されている。
外枠１０は、上下左右の枠材によって縦長四角形の枠状に形成され、同外枠１０の前側下部には、本体枠２０の下面を受ける下受板１５を有している。
外枠１０の前面の一側には、本体枠開閉用ヒンジ機構１９によって本体枠２０が前方に開閉可能に装着されている。
【００１９】
また、本体枠２０は、前枠体２１、遊技盤装着枠３０及び機構装着体４０を合成樹脂材によって一体成形することで構成されている。
本体枠２０の前側に形成された前枠体２１は、外枠１０前側の下受板１５を除く外郭形状に対応する大きさの矩形枠状に形成されている。
【００２０】
［遊技盤について］
図１に示すように、本体枠２０の前枠体２１の後部に一体に形成された遊技盤装着枠３０には遊技盤３１が前方から着脱交換可能に装着されるようになっている。
遊技盤３１の盤面（前面）には、外レールと内レールとを備えた案内レール３２が設けられ、その案内レール３２の内側に遊技領域３３が区画形成されている。
遊技盤３１には、その遊技領域３３内において、遊技に関する役物装置、例えば、センタ役物と呼ばれる役物装置３４が装着され、その役物本体３５には、その中央部に形成された開口部に表示面を臨ませて図柄表示装置（例えば、液晶表示器、ＥＬ表示器，プラズマ表示器，ＣＲＴ等）３６が装着されている。また、遊技盤３１の盤面（前面）の遊技領域３３内には図示しない入賞器、風車器、誘導釘、ランプ装飾部材等の各種の装備品が配設されている。
【００２１】
図１に示すように、本体枠２０の前枠体２１の前側において、遊技盤装着枠３０よりも下方に位置する前枠体２１の前下部領域の一側寄りには、スピーカ装着板２６を介してスピーカ（この実施例では低音用スピーカ）２７が装着されている。
また、前枠体２１前面の下部領域内の上側部分には、遊技盤３１の発射通路に向けて球を導く発射レール２２が傾斜状に装着されている。
また、前枠体２１前面の下部領域内の下側部分には、下前面部材２３が装着されている。下前面部材２３の前面の略中央部には、下皿２４が設けられ、片側寄りには操作ハンドル２５が設けられている。
【００２２】
［施錠装置について］
図１に示すように、本体枠（前枠体２１）２０のヒンジ機構と反対側に自由端側の後側には、外枠１０に対し本体枠２０を施錠する機能と、本体枠２０に対し後に詳述するガラス扉６０を施錠する機能とを兼ね備えた施錠装置５１が装着されている。
すなわち、施錠装置５１は、外枠１０に設けられた閉止具１７に係脱可能に係合して本体枠２０を閉じ状態に施錠する上下複数の本体枠施錠フック５２と、後述するガラス扉６０の自由端側の後側に設けられた閉止具６６に係脱可能に係合してガラス扉６０を閉じ状態に施錠する上下複数の扉施錠フック５３とを備えている。
そして、シリンダー錠５５の鍵穴に鍵が挿入されて一方向に回動操作されることで本体枠施錠フック５２と外枠１０の閉止具１７との係合が外れて本体枠２０が解錠され、これとは逆方向に回動操作されることで、扉施錠フック５３とガラス扉６０の閉止具６６との係合が外れてガラス扉６０が解錠されるようになっている。
なお、シリンダー錠５５の前端部は、遊技機の前方から鍵を挿入して解錠操作可能に、前枠体２１及び下前面部材２３を貫通してその下前面部材２３の前面に露出されている。
【００２３】
［ガラス扉について］
図１に示すように、本体枠（前枠体２１）２０の前面の一側には、扉開閉用ヒンジ機構５０によって前扉としてのガラス扉６０が前方に開閉可能に装着されている。
図４と図５に示すように、ガラス扉６０は、扉本体フレーム６１、上皿７８、アッパ電飾装置８０、左右一対のサイド電飾装置１８０を備えて構成されている。
扉本体フレーム６１は、プレス加工された単数または複数の金属製フレーム構成部材によって形成され、本体枠２０の前枠体２１の上端から下前面部材２３の上縁にわたる部分を覆う大きさに形成されている。
扉本体フレーム６１の略中央部には、遊技盤３１の遊技領域３３を前方から透視可能な略円形の開口窓６２が形成されている。また、扉本体フレーム６１の後側には開口窓６２よりも大きい矩形枠状をなす窓枠６３が設けられ、その窓枠６３にはガラス板、透明樹脂板等の透明な窓板６５が装着されている（図１参照）。
【００２４】
［ガラス扉の前側構成について］
図２と図３に示すように、扉本体フレーム６１の前側には、その開口窓６２の周縁部に沿って電飾装置（アッパ電飾装置８０及び左右の両サイド電飾装置１８０）が装着され、下部に上皿７８がそれぞれ装着されている。
電飾装置を構成するアッパ電飾装置８０及び左右の両サイド電飾装置１８０は、遊技の進行に同調して発光装飾を行うように、遊技機の制御装置（例えば、ランプ制御回路を有する制御基板）によって点滅制御されるとともに、当該遊技機で遊技を行っている遊技者よりも第三者に対してより多くの光が指向するように構成されている。
【００２５】
［アッパ電飾装置について］
図５に示すように、アッパ電飾装置（トップランプユニット）８０は、１つにユニット化されて扉本体フレーム６１の前側上部にビス７９によって装着されている。
図６に示すように、アッパ電飾装置８０は、装置本体８１、スピーカ９７、ランプ基板１１０、ランプ基板１４０、背面カバー体１５０、前カバー体１７０等を備え、これら各部材が相互に組み付けられてユニット化されている。
装置本体８１は、合成樹脂材によって形成され、中央のリフレクタ体１００と、その左右両側部に形成された左右一対のスピーカ収納体９０と、左右の両サイドリフレクタ体１３０とを一体に備え、ガラス扉６の略全幅にわたる横長状に形成されている。
左右一対のスピーカ収納体９０は、前後方向の筒状に形成され、これら一対のスピーカ収納体９０のスピーカ装着孔９３には後方からスピーカカバー９５及びスピーカ（この実施例では中高音用スピーカ）９７が順に嵌込まれて装着されるようになっている。
【００２６】
［アッパ電飾装置の反射鏡について］
図６〜図９に示すように、中央のリフレクタ体１００は、椀形状に凹まされ複数の椀形状反射面１０１が横方向に一部重なり合うようにして配列されて形成されている。また、複数の椀形状反射面１０１を含むリフレクタ体１００の表面には、真空蒸着加工、スパッタリング加工等によって金属薄膜層が施されている。
また、図８と図９に示すように、複数の椀形状反射面１０１は、周方向及び半径方向に略蜘蛛の巣形状の境界線をもって連続する多数の略平坦状の分割反射面によって構成されている。
また、この実施例において、図１１と図１２に示すように、椀形状反射面１０１の半径方向及び周方向においては、傾斜面をなす分割反射面の部分と垂直面をなす分割反射面の部分とが交互に形成されている。
【００２７】
図８と図９に示すように、複数の椀形状反射面１０１の各中心部には中心孔１０２が貫設され、リフレクタ体１００の後側には、各中心孔１０２にそれぞれ対応する位置に、単数、又は複数のランプ、ＬＥＤ等よりなる複数の光源１１１が配設されたランプ基板１１０が装着されている。
図８に示すように、複数の椀形状反射面１０１の各中心孔１０２には、各光源１１１が発する光を椀形状反射面１０１に向けて反射させる光反射体１２０が配置されている。
複数の椀形状反射面１０１の各中心孔１０２に対応する光源１１１は、複数（図では４つ）のＬＥＤにより構成されている。さらに、複数のＬＥＤは同一円周上に配置されるとともに、これら複数のＬＥＤは、青色のＬＥＤと、赤色のＬＥＤとが周方向に交互に配設されている。
また、図８に示すように、光反射体１２０は、透明な合成樹脂材によって形成され、前部に光反射部１２１を有し、後部にランプ基板１１０の複数のＬＥＤの周縁部を取り囲んで覆う大径の筒部１２３が段差部をもって一体に形成されている。
【００２８】
すなわち、光反射体１２０の光反射部１２１は、椀形状反射面１０１の中心孔１０２の後側開口部から嵌挿されてかつ段差部が中心孔１０２の後側周縁部に当接した状態で所定量だけ前方に突出する円柱状（又は三角柱、四角柱、多角柱等の角柱状）に形成されるとともに、その突出端面の周縁部から後端面近傍に向けて略円錐状（又は角錐状）に凹まされて凹部１２１ａが形成されている。これによって、光反射部１２１は、その凹部１２１ａの周囲において傾斜状の内反射面を有して断面略三角形状をなすプリズム体を構成している。以下、光反射部１２１をプリズム体１２１ともいう。
【００２９】
また、この実施例において、図６と図７に示すように、左右一対のスピーカ収納体９０の両サイド部には、サイドリフレクタ体１３０がスピーカ収納体９０と一体に形成されている。これら両サイドリフレクタ体１３０は、前述した中央部のリフレクタ体１００と略同様にして、多数の分割反射面によって構成される椀形状反射面１３１が上下に配列され、その椀形状反射面１３１の中心孔には光反射体１４５が配置され、後側には光源１４１としてのＬＥＤが配設された左右の両ランプ基板１４０が装着されている。
【００３０】
図６に示すように、装置本体８１の周壁部の後側開口部には、同開口部を塞ぐようにして背面カバー体１５０が装着されている。また、装置本体８１の前側には、中央部のリフレクタ体１００及び左右の両サイドリフレクタ体１３０を被うようにして透明（無色透明）な合成樹脂材より形成された前カバー体１７０が装着されている。そして、前カバー体１７０によって、中央部のリフレクタ体１００と左右の両サイドリフレクタ体１３０が保護されるとともに外観意匠が高められている。
【００３１】
また、ランプ基板１１０及び左右の両ランプ基板１４０は、遊技機の制御装置（例えば、ランプ制御回路を有する制御基板）に電気的に接続され、遊技の進行に同調して発光装飾を行うように、ランプ基板１１０、１４０の各光源（多数のＬＥＤ）１１１、１４１が点滅制御されるようになっている。
【００３２】
特に、図１８に示すように、この実施例のアッパ電飾装置８０において、遊技機で遊技を行っている遊技者よりも第三者に対してより多くの光が指向するように、リフレクタ体１００（及びサイドリフレクタ体１３０）の各椀形状反射面１０１（１３１）から反射された後、前面部材１７０を透して出射される出射光の中心Ｃは、略水平又は上向きに設定されており、遊技者の目Ｅの高さ位置よりも高い位置に延びている。
これによって、各椀形状反射面１０１（１３１）から反射された後、前面部材１７０を透して出射される光の拡散範囲が遊技中の遊技者の視界範囲から殆ど外れるようになっている。
【００３３】
［サイド電飾装置について］
図１０〜図１７に示すように、電飾装置を構成する左右の両サイド電飾装置１８０は、各１つにユニット化されて扉本体フレーム６１の前側左右にビスによって装着されている。
この実施例において、左右の両サイド電飾装置１８０は、左右対称状をなし、その前側から後側に向けて、装飾部材１８１、レンズ部材２００、ランプ基板２２０及び背面カバー体２３０を順に備え、これか各部材が相互に組み付けられてユニット化されている。
【００３４】
［サイド電飾装置の装飾部材について］
図１３〜図１７に示すように、装飾部材１８１は、前壁部１８４、内側壁部１８６及び外側傾斜壁部１８８を一体に備えて平断面略台形状をなしかつ不透明な合成樹脂材によって形成されている。
また、装飾部材１８１の前壁部１８４は、その下端から上端に向かうにしたがって遊技者側に接近する下向き傾斜状（あるいは湾曲状）をなすとともに、その内縁部が開口窓６２の側部に沿って略円弧状に形成されている。そして、内側壁部１８６は、前壁部１８４の内縁部から開口窓６２の側部を囲むようにして円弧状をなしかつガラス扉６０の窓板６５に向けて略直角状をなして形成されている。
また、外側傾斜壁部１８８は、前壁部１８４の外縁部からガラス扉６０の扉本体フレーム６１の前側縁に向けて形成され、これによって外側に向けて傾斜状をなしている。さらに、外側傾斜壁部１８８は、下端から上端に向けてその幅寸法がしだいに拡大している。
【００３５】
図１３と図１７に示すように、装飾部材１８１の前壁部１８４には、横方向の複数の凹部１８５が上下方向に所定間隔を隔て凹設されており、これら各凹部１８５の底面には横長の透孔１９０が形成されている。これら各凹部１８５の上下の両壁面は、開口側が広く底側が狭いテーパ状をなしている。
また、装飾部材１８１には、その前壁部１８４の各凹部１８５の間において、前壁部１８４から外側傾斜壁部１８８にわたって横方向に延びる各複数の透孔１９１が上下方向に所定間隔を隔てて形成されている。
また、装飾部材１８１の内側壁部１８６には、各複数の透孔１９１の横方向の延長上において、横向きＵ字形の切り欠き状をなす複数の内側透孔１９２が上下方向に所定間隔を隔てて形成されている。
【００３６】
また、この実施例において、図１６に示すように、装飾部材１８１の前壁部１８４及び外側傾斜壁部１８８の表面には、装飾部材１８１とは色が異なる前面装飾体１８３が係合片、クリップ等の適宜の取付手段１８２によって装着され、これによって装飾性が高められている。
また、この実施例において、図１７に示すように、装飾部材１８１の内面（前壁部１８４、内側壁部１８６及び外側傾斜壁部１８８の内面）には、各透孔１９１の間において横方向の補強リブ１９５が一体に形成されている。
【００３７】
［サイド電飾装置のレンズ部材について］
図１３と図１７に示すように、装飾部材１８１の内側には、透明な合成樹脂材より形成されたレンズ部材２００が嵌込まれて装着されている。
このレンズ部材２００は、装飾部材１８１の前壁部１８４、内側壁部１８６及び外側傾斜壁部１８８の内面に接近して沿う前壁部、内側壁部及び外側傾斜壁部を一体に備えて平断面略台形状に形成されている。
レンズ部材２００の前壁部において、装飾部材１８１の各凹部１８５の対応して凹部２０１が形成され、その凹部２０１の底面には、装飾部材１８１の凹部１８５の透孔１９０に嵌込まれかつ中実の凹レンズをなすレンズ体２１１が一体に突設されている。
【００３８】
また、図１３と図１５に示すように、レンズ部材２００には、その前壁部から外側傾斜壁部にわたって横方向に延びかつ装飾部材１８１の各複数の透孔１９１に嵌込まれる中実の凸レンズをなすレンズ２１２が一体に突設されている。
また、レンズ部材２００の内側壁部には、装飾部材１８１の各内側透孔１９２に嵌込まれる中実のレンズ体２１３が一体に突設されている。
また、レンズ部材２００の前壁部、内側壁部及び外側傾斜壁部の表面（前面）には、装飾部材１８１の各補強リブ１９５が嵌込まれる凹部２０２が形成されている。
【００３９】
［サイド電飾装置のランプ基板及び背面カバー体について］
図１１、図１５及び図１７に示すように、レンズ部材２００の後側には、各レンズ体２１１、２１２、２１３にそれぞれ対応する位置において、単数、又は複数のランプ、ＬＥＤ等よりなる光源１１１が配設されたランプ基板２２０が装着されている。
ランプ基板２２０は、遊技機の制御装置（例えば、ランプ制御回路を有する制御基板）に電気的に接続され、遊技の進行に同調して発光装飾（遊技演出）を行うように、ランプ基板２２０の多数の光源（多数のＬＥＤ）２２１が点滅制御されるようになっている。
また、装飾部材１８１の後側には、同装飾部材１８１にレンズ部材２００及びランプ基板２２０が装着された状態においてその後側を覆う背面カバー体２３０が装着されている。
また、この実施例において背面カバー体２３０の内側縁には、ガラス扉６０の開口窓６２を構成する円弧状の装飾枠２３１が一体に形成されている。
【００４０】
特に、この実施例の左右一対のサイド電飾装置１８０において、当該遊技機で遊技を行っている遊技者よりも第三者に対してより多くの光が指向するように、開口窓６２の側部を囲むようにして設けられた装飾部材１８１の内側壁部１８６は、窓板６５に対し略直角状をなしている。そして、ランプ基板２２０の光源２２１が発する光が内側壁部１８６の内側透孔１９２に嵌込まれたレンズ部材２００のレンズ体２１３から横向きに出射されるようになっている。
【００４１】
また、この実施例において、装飾部材１８１の前壁部１８４から外側傾斜壁部１８８にわたって横方向に延びる各複数の透孔１９１において、前壁部１８４及び外側傾斜壁部１８８の全表面積（各複数の透孔１９１部分も含む）に対し、各複数の透孔１９１の合計の開口面積が半分程度あるいはそれ以下に設定されている。
さらに、装飾部材１８１の前壁部１８４から外側傾斜壁部１８８にわたって横方向に延びる各複数の透孔１９１に嵌込まれた各レンズ体２１２において、図１５に示すように、前壁部１８４に位置する前側レンズ部分２１２ａの合計のレンズ面積よりも外側傾斜壁部１８８に位置する外側レンズ部分２１２ｂの合計のレンズ面積が適宜に大きく設定されている。
【００４２】
［実施例に係る遊技機の電飾装置の作用効果について］
この実施例に係る遊技機の電飾装置は上述したように構成される。
したがって、遊技の進行に同調して遊技機の制御装置（例えば、ランプ制御回路を有する制御基板）から伝達される制御信号によって、アッパ電飾装置８０のランプ基板１１０、１４０の多数の光源（多数のＬＥＤ）１１１、１４１及び左右一対のサイド電飾装置１８０のランプ基板２２０の多数の光源（多数のＬＥＤ）２２１がそれぞれ点滅制御される。
【００４３】
アッパ電飾装置８０において、ランプ基板１１０、１４０の多数の光源（多数のＬＥＤ）１１１、１４１が発する光は、各リフレクタ体１００、１３０の椀形状反射面１０１、１３１の中心部に設けられた光反射体１２０、１４５によって各椀形状反射面１０１、１３１に向けて反射される。そして、各椀形状反射面１０１、１３１から拡散反射された反射光は、分割反射面１０３、１３３毎にキラキラ光るモザイク状の発光態様をなしかつ透明な前面部材１７０を透して出射される。
【００４４】
図１８に示すように、リフレクタ体１００（及びサイドリフレクタ体１３０）の各椀形状反射面１０１（１３１）から拡散反射される反射光の中心Ｃは、略水平又は上向きに設定されており、当該遊技機で遊技を行っている遊技者（当該遊技機の前側に着座した姿勢にあり視線が低い遊技者）の目Ｅの高さ位置よりも高い位置に延びている。
これによって、各椀形状反射面１０１（１３１）から反射された後、前面部材１７０を透して出射される光の拡散範囲が、当該遊技機で遊技を行っている遊技者の視界範囲から殆ど外れる。
これによって、当該遊技機で遊技を行っている遊技者に対しては眩しさ感を与えることを防止し、遊技者の目の高さ位置よりも高い第三者に対しては光装飾効果を高めることができる。
このようにして、遊技者以外の第三者に対して光装飾効果を高めることができるため、例えば、遊技者近傍の第三者が遊技機の遊技状況（大当たり状況）を容易に認識することができる。また、遊技機ホールの入口近傍の第三者が、遊技機ホール内の多数の遊技機の遊技状況（大当たり状況）を容易に認識することができる。
【００４５】
一方、左右一対のサイド電飾装置１８０において、ランプ基板２２０の光源（多数のＬＥＤ）２２１が発する光は、装飾部材１８１の各透孔１９０、１９２、１９３に嵌込まれた各レンズ体２１１、２１２、２１３を透して出射される。
特に、この実施例において、装飾部材１８１の内側壁部は、開口窓６２の側部を囲むようにして設けられかつ窓板６５に対し略直角状をなしている。そして、内側壁部の内側透孔１９２に、レンズ部材２００のレンズ体２１３が嵌込まれている。
このため、図１９に示すように、ランプ基板２２０の光源２２１が発する光が内側壁部１８６の各レンズ体２１３から遊技者の視線に対して横向きに出射される。
【００４６】
ガラス扉６０の開口窓６２の側部を囲むようにして設けられかつ窓板６５に対し略直角状をなす内側壁部１８６は、当該遊技機で遊技を行っている遊技者が見づらい位置に存在する（図２参照）。
そして、図１９に示すように、ランプ基板２２０の光源２２１が発する光が内側壁部１８６の各レンズ体２１３から遊技者の視線に対して横向きに出射されることで、当該遊技機で遊技を行っている遊技者よりも第三者に対してより多くの光を指向させて発光装飾を行うことができる。これによって、遊技者以外の第三者に対して光装飾効果を高めることができる。
なお、図１９において、符号、Ｅは遊技者の目の位置を示し、Ｅ１、Ｅ２は、遊技者の左右両側方にそれぞれ接近して存在する第三者の目の位置を示す。また、Ｆ１は、レンズ体２１２を透して出射される出射光を示し、Ｆ２は、レンズ体２１３を透して出射される出射光を示す。
【００４７】
また、内側壁部１８６のレンズ体２１３から横向きに出射される光が、窓板６５に映しだされる（窓板６５から反射される）ことによって光装飾効果をより一層高めることができる。
【００４８】
また、この実施例において、装飾部材１８１の前壁部１８４から外側傾斜壁部１８８にわたって横方向に延びる各複数の透孔１９１に嵌込まれた各レンズ体２１２において、図１５に示すように、前壁部１８４に位置する前側レンズ部分２１２ａの合計のレンズ面積よりも外側傾斜壁部１８８に位置する外側レンズ部分２１２ｂの合計のレンズ面積が適宜に大きく設定されている。
これによって、図１９に示すように、ランプ基板２２０の光源２２１が発する光のうち、レンズ体２１２から出射される光は、当該遊技機で遊技を行っている遊技者よりも第三者に対してより多くの光を指向させて発光装飾を行うことができる。
【００４９】
また、この実施例において、装飾部材１８１の前壁部１８４から外側傾斜壁部１８８にわたって横方向に延びる各複数の透孔１９１において、前壁部１８４及び外側傾斜壁部１８８の全表面積（各複数の透孔１９１部分も含む）に対し、各複数の透孔１９１の合計の開口面積が半分程度あるいはそれ以下に設定されている。
このため、例えば、装飾部材１８１の全体が透明なレンズ部材によって形成され、その全表面から光が出射される場合と比べ、当該遊技機で遊技を行っている遊技者に対し眩しさ感を与えることを防止しながら効果的に発光装飾することができる。
【００５０】
また、図２０に示すように、遊技機ホール内に所定数の遊技機が球貸機２４０を間に挟んで配置された状態において、各遊技機の左右一対のサイド電飾装置１８０の装飾部材１８１に配列された各レンズ体２１２、２１３は横一線状をなして断続的に配列されるため、隣接する遊技機を横方向に連続感をもたせて配置することができ、装飾性を高めることができる。
【００５１】
［この発明の他の実施例について］
なお、この発明は前記実施例に限定するものではない。
例えば、前記実施例においては、前枠体２１、遊技盤装着枠３０及び機構装着体４０が合成樹脂材によって一体成形されることで本体枠２０が構成される場合を例示したが、遊技盤が着脱可能に装着される遊技盤装着枠が一体に形成されたりあるいは別体の遊技盤装着枠が組み付けられる前枠体が本体枠である場合においてもこの発明を実施することができる。
また、前記実施例においては、前扉としてのガラス扉６０の前側上部にアッパ電飾装置８０が装着され、左右両側部にサイド電飾装置１８０が装着された遊技機である場合を例示したが、外枠の前側に開閉可能に装着された本体枠（前扉に相当する）の前側上部にアッパ電飾装置８０が装着される遊技機であってもこの発明を実施することができる。
また、スロットマシン等の前扉にアッパ電飾装置８０あるいはサイド電飾装置１８０が装着される遊技機であってもこの発明を実施することができる。
【図面の簡単な説明】
【００５２】
【図１】この発明の実施例に係る遊技機の外枠の一側に本体枠が開かれその本体枠の一側にガラス扉が開かれた状態を示す斜視図である。
【図２】同じく遊技機の前側全体を示す正面図である。
【図３】同じく遊技機を斜め右上前方から示す斜視図である。
【図４】同じくガラス扉を斜め左上後方から示す斜視図である。
【図５】同じくガラス扉とアッパ電飾装置とを分離して斜め左上前方から示す斜視図である。
【図６】同じくアッパ電飾装置の構成部材を分離して示す斜視図である。
【図７】同じくスピーカ収納体にスピーカが装着された状態を拡大して示す平断面図である。
【図８】同じくランプ基板の光源、光反射体、リフレクタ体の関係を拡大して示す平断面である。
【図９】同じくリフレクタ体の中央部を拡大して示す正面図である。
【図１０】同じくガラス扉と左右一対のサイド電飾装置とを分離して斜め左上前方から示す斜視図である。
【図１１】同じく左右一対のサイド電飾装置の構成部材を分離して前方から示す斜視図である。
【図１２】同じく左右一対のサイド電飾装置の構成部材を分離して後方から示す斜視図である。
【図１３】同じくサイド電飾装置の装飾部材とレンズ部材及び背面カバー体を分離して前方から示す斜視図である。
【図１４】同じくサイド電飾装置の装飾部材とレンズ部材及び背面カバー体を分離して後方から示す斜視図である。
【図１５】同じくガラス扉の前側にサイド電飾装置が装着された状態の装飾部材とレンズ体の関係を示す平断面図である。
【図１６】同じくガラス扉の前側にサイド電飾装置が装着された状態の装飾部材と前面装飾体との関係を示す平断面図である。
【図１７】同じくガラス扉の前側にサイド電飾装置が装着された状態の装飾部材とレンズ体の関係を示す側断面図である。
【図１８】同じく遊技機のアッパ電飾装置と遊技者の関係を示す説明図である。
【図１９】同じくサイド電飾装置の装飾部材の内側壁部、前側壁部及び外側傾斜壁部の各レンズ体から光が出射される状態を平断面で示す説明図である。
【図２０】同じく球貸機を間に挟んで遊技機が設置された状態を示す斜視図である。
【符号の説明】
【００５３】
６０  ガラス扉
８０  アッパ電飾装置
１００  リフレクタ体（反射鏡）
１０１  椀形状反射面
１０２  中心孔
１１０  ランプ基板
１１１  光源
１２０  光反射体
１８０  サイド電飾装置
１８１  装飾部材
１８４  前壁部
１８６  内側壁部
１８８  外側傾斜壁部
１９０、１９１  透孔
１９２  内側透孔
２００  レンズ部材
２１１、２１２、２１３  レンズ体
２２０  ランプ基板
２２１  光源
【図１】
2006006543.tif 000003
【図２】
2006006543.tif 000004
【図３】
2006006543.tif 000005
【図４】
2006006543.tif 000006
【図５】
2006006543.tif 000007
【図６】
2006006543.tif 000008
【図７】
2006006543.tif 000009
【図８】
2006006543.tif 000010
【図９】
2006006543.tif 000011
【図１０】
2006006543.tif 000012
【図１１】
2006006543.tif 000013
【図１２】
2006006543.tif 000014
【図１３】
2006006543.tif 000015
【図１４】
2006006543.tif 000016
【図１５】
2006006543.tif 000017
【図１６】
2006006543.tif 000018
【図１７】
2006006543.tif 000019
【図１８】
2006006543.tif 000020
【図１９】
2006006543.tif 000021
【図２０】
2006006543.tif 000022